(57)【要約】【課題】端末の通信コストと消費電力の双方を低減する。【解決手段】動画像撮像部１０１は、動画像を撮像する。動画像データ圧縮・伸張処理部１０２は、動画像撮像部１０１にて取り込んだ動画像データを圧縮処理し、受信された圧縮動画像データを伸張処理する。動画像表示部１０３は、動画像データ圧縮・伸張処理部１０２にて伸張処理された動画像を表示する。画像と音声による通信が実現可能な画像通信携帯端末機において、制御部１５２は、通信中に画像処理機能停止検出部１５１から画像処理機能停止検出信号が入力されると、画像処理機能に関する動画像撮像部１０１と動画像データ圧縮・伸張処理部１０２と動画像表示部１０３とをそれぞれ停止させる。【選択図】　　　図１
2004032305.tif 000002
【特許請求の範囲】
【請求項１】
画像と音声とを同時に送受信を行う通信において、動画像を撮像する動画像撮像手段と、前記動画像撮像手段にて取り込んだ動画像データを圧縮処理し、受信された圧縮動画像データを伸張処理する動画像データ圧縮・伸張処理手段と、前記動画像データ圧縮・伸張処理手段にて伸張処理された動画像を表示する動画像表示手段と、画像処理機能の停止を検出する画像処理機能停止検出手段と、通信中に前記画像処理機能停止検出手段から画像処理機能停止検出信号が入力されると、前記動画像撮像手段、動画像表示手段及び動画像データ圧縮・伸張処理手段を停止させる制御手段と、を具備することを特徴とする画像通信携帯端末機。
【請求項２】
前記画像処理機能停止検出手段は、ユーザが前記音声入出力手段の内部入出力装置による音声通話を行うことを検出する手段であることを特徴とする請求項１記載の画像通信携帯端末機。
【請求項３】
前記画像処理機能停止検出手段は、ユーザが前記音声入出力手段の内部入出力装置による音声通話を行うために筐体に接触したことを検出する光センサーであることを特徴とする請求項１記載の画像通信携帯端末機。
【請求項４】
前記画像処理機能停止検出手段は、ユーザが前記音声入出力手段の内部入出力装置による音声通話を行うために筐体に接触したことを検出する温度センサーであることを特徴とする請求項１記載の画像通信携帯端末機。
【請求項５】
前記画像処理機能停止検出手段は、ユーザが前記音声入出力手段の内部入出力装置による音声通話を行うために操作するキー入力手段であることを特徴とする請求項１記載の画像通信携帯端末機。
【請求項６】
前記画像処理機能停止検出手段は、前記動画像撮像手段にて撮像された画像からユーザが画面を見ていないことを認識する手段であることを特徴とする請求項１記載の画像通信携帯端末機。
【請求項７】
前記画像処理機能停止検出手段は、電池電圧を検出する手段であることを特徴とする請求項１記載の画像通信携帯端末機。
【請求項８】
前記制御手段は、前記画像処理機能停止検出手段からの検出信号を有効、または無効とする手段を具備することを特徴とする請求項１から請求項７のいずれかに記載の画像通信携帯端末機。
【発明の詳細な説明】
【０００１】
【発明の属する技術分野】
本発明は、画像と音声を同時に送受信を行い、テレビ電話が実現可能な画像通信携帯端末機に関する。
【０００２】
【従来の技術】
画像及び音声の送受信が可能な画像通信携帯端末機としては、従来、例えば特開平１０−２４８０６３号公報（携帯型情報端末装置）に開示されたものが知られている。以下、図８を参照して、概要を説明する。
【０００３】
図８に示すように、従来の画像通信携帯端末機は、動画像を撮像する動画像撮像部８０１と、動画像撮像部８０１にて取り込んだ動画像データを圧縮処理し、受信された圧縮動画像データを伸張処理する動画像データ圧縮・伸張処理部８０２と、動画像データ圧縮・伸張処理部８０２にて伸張処理された動画像を表示する動画像表示部８０３と、外部入出力装置８４１と内部入出力装置８４２を併せ持つ音声入出力部８０４と、音声入出力部８０４からの音声データを圧縮処理し、受信された圧縮音声データを伸張処理する音声データ圧縮・伸張処理部８０５と、圧縮された動画像データ及び音声データをアンテナ８０６を介して外部と送受信を行う通信部８０７と、動画像データ圧縮・伸張処理部８０２及び音声データ圧縮・伸張処理部８０５と通信部８０７とを制御し、画像と音声による会話を実現する制御部８０８とを具備する。
【０００４】
この構成によれば、常に端末で撮影した画像を符号化して通話先端末に送信する。したがって、リアルタイムに発信者側から送出された画像を着信者側端末で見ることが可能である。
【０００５】
ところで、例えば、動画像データ圧縮・伸張処理部８０２では、ＭＰＥＧ４やＨ．２６３などの動画像圧縮の国際標準規格に準拠して数１０〜数１００ＭＯＰＳ（Ｍｉｌｌｉｏｎ　Ｏｐｅｒａｔｉｏｎｓ　Ｐｅｒ　Ｓｅｃｏｎｄ）の高い処理能力が要求されれるので、必然的に消費電力も大きくなる。
【０００６】
したがって、この画像通信携帯端末機では、電池寿命の長命化が重要な課題である。この消費電力低減方法としては、例えば、ジャイロによって端末の傾きを検出し、表示部の電源供給を停止する方法（特開平７−３０７７７６号公報）や、タッチセンサにより通話状態を検出し、表示部の電源供給を停止する方法（特開平１０−１９０７８６号公報）などが知られている。
【０００７】
【発明が解決しようとする課題】
しかしながら、図８に示される画像通信携帯端末機では、テレビ電話中は常に画像の圧縮・伸張処理を行うため、端末の消費電力が大きくなる。加えて、伝送に要する情報量が増大するため、通信コストが大きくなるという問題がある。
【０００８】
本発明は、かかる点に鑑みてなされたものであり、テレビ電話中の消費電力と通信コストを低減できる機構を具備した画像通信携帯端末機を提供することを目的とする。
【０００９】
【課題を解決するための手段】
本発明の画像通信携帯端末機は、画像と音声とを同時に送受信を行う通信において、動画像を撮像する動画像撮像手段と、前記動画像撮像手段にて取り込んだ動画像データを圧縮処理し、受信された圧縮動画像データを伸張処理する動画像データ圧縮・伸張処理手段と、前記動画像データ圧縮・伸張処理手段にて伸張処理された動画像を表示する動画像表示手段と、画像処理機能の停止を検出する画像処理機能停止検出手段と、通信中に前記画像処理機能停止検出手段から画像処理機能停止検出信号が入力されると、前記動画像撮像手段、動画像表示手段及び動画像データ圧縮・伸張処理手段を停止させる制御手段と、を具備する構成をとる。
【００１０】
この構成によれば、テレビ電話中においても動画像処理を停止させることができるので、端末の消費電力と通信コストの双方が低減できる。
【００１１】
また、本発明の画像通信携帯端末機は、上記の発明において、前記画像処理機能停止検出手段は、ユーザが前記音声入出力手段の内部入出力装置による音声通話を行うことを検出する手段であるという構成を採る。
【００１２】
この構成によれば、ユーザが当該画像通信携帯端末に内蔵された送話部による音声通話を行うことを検出した場合には、画像処理機能は不用と判断して画像の送受信や表示を停止させることができるので、端末の消費電力と通信コストの双方が低減できる。
【００１３】
また、本発明の画像通信携帯端末機は、上記の発明において、前記画像処理機能停止検出手段は、ユーザが前記音声入出力手段の内部入出力装置による音声通話を行うために筐体に接触したことを検出する光センサーであるという構成を採る。
【００１４】
この構成によれば、ユーザが前記音声入出力手段の内部入出力装置による音声通話を行うために筐体に接触すると、光センサーにて暗検出される。これによって、ユーザが当該画像通信携帯端末に内蔵された送話部による音声通話を行うことが検出された場合には、画像処理機能は不用と判断して画像の送受信や表示を停止させることができるので、端末の消費電力と通信コストの双方が低減できる。
【００１５】
また、本発明の画像通信携帯端末機は、上記の発明において、前記画像処理機能停止検出手段は、ユーザが前記音声入出力手段の内部入出力装置による音声通話を行うために筐体に接触したことを検出する温度センサーであるという構成を採る。
【００１６】
この構成によれば、ユーザが前記音声入出力手段の内部入出力装置による音声通話を行うために筐体に接触すると、温度センサーにてユーザの体温が検出される。これによって、ユーザが当該画像通信携帯端末に内蔵された送話部による音声通話を行うことが検出された場合には、画像処理機能は不用と判断して画像の送受信や表示を停止させることができるので、端末の消費電力と通信コストの双方が低減できる。
【００１７】
また、本発明の画像通信携帯端末機は、上記の発明において、前記画像処理機能停止検出手段は、ユーザが前記音声入出力手段の内部入出力装置による音声通話を行うために操作するキー入力手段であるという構成を採る。
【００１８】
この構成によれば、ユーザがキー入力手段から内部入出力装置による音声通話を行う入力がなされると、画像処理機能は不用と判断して画像の送受信や表示を停止させることができるので、端末の消費電力と通信コストの双方が低減できる。
【００１９】
また、本発明の画像通信携帯端末機は、上記の発明において、前記画像処理機能停止検出手段は、前記動画像撮像手段にて撮像された画像からユーザが画面を見ていないことを認識する手段であるという構成を採る。
【００２０】
この構成によれば、動画像撮像手段にて撮像された画像からユーザが画面を参照していないと認識された場合には、画像処理機能は不用と判断して画像の送受信や表示を停止させることができるので、端末の消費電力と通信コストの双方が低減できる。
【００２１】
また、本発明の画像通信携帯端末機は、上記の発明において、前記画像処理機能停止検出手段は、電池電圧を検出する手段であるという構成を採る。
【００２２】
この構成によれば、電池残存容量が少ない時は画像の送受信や表示を停止させることができるので、端末の消費電力と通信コストの双方が低減できる。
【００２３】
さらに、本発明の画像通信携帯端末機は、上記の発明において、前記制御手段は、前記画像処理機能停止検出手段からの検出信号を有効、または無効とする手段を具備する構成を採る。
【００２４】
この構成によれば、画像処理機能停止検出手段からの検出信号が有効と判断された場合には、画像の送受信や表示を停止させることができるので、端末の消費電力と通信コストの双方が低減できる。
【００２５】
【発明の実施の形態】
本発明の骨子は、テレビ電話中に画像処理機能を停止させ得る手段を設け、端末の消費電力と通信コストを共に低減できるようにすることである。
【００２６】
（実施の形態１）
図１は、本発明の実施の形態１に係る画像通信携帯端末機の構成を示すブロック図である。
【００２７】
図１に示すように、実施の形態１に係る画像通信携帯端末機は、動画像を撮像する動画像撮像部１０１と、動画像撮像部１０１にて取り込んだ動画像データを圧縮処理し、受信された圧縮動画像データを伸張処理する動画像データ圧縮・伸張処理部１０２と、動画像データ圧縮・伸張処理部１０２にて伸張処理された動画像を表示する動画像表示部１０３と、外部入出力装置１４１と内部入出力装置１４２を併せ持つ音声入出力部１０４と、音声入出力部１０４からの音声データを圧縮処理し、受信された圧縮音声データを伸張処理する音声データ圧縮・伸張処理部１０５と、圧縮された動画像データ及び音声データを、アンテナ１０６を介して外部と送受信を行う通信部１０７と、を具備する。さらに、実施の形態１に係る画像通信携帯端末機は、画像処理機能停止検出部１５１及び制御部１５２が設けられている。
【００２８】
制御部１５２は、動画像データ圧縮・伸張処理部１０２及び音声データ圧縮・伸張処理部１０５と通信部１０７とを制御し、画像と音声による会話を実現する他、テレビ電話中に画像処理機能停止検出部１５１から画像処理機能停止検出信号が入力されると、動画像撮像部１０１と、動画像表示部１０３と、動画像データ圧縮・伸張処理部１０２とを停止させる制御を行うようになっている。
【００２９】
この構成によれば、制御部１５２は、テレビ電話中に画像処理機能停止検出部１５１から画像処理機能停止検出信号が入力されると、画像処理機能である画像の撮影、表示、符号化、復号化の機能をそれぞれ停止させる。その結果、無線回線の伝送情報は、音声情報のみとなる。
【００３０】
したがって、実施の形態１によれば、伝送情報量の低減による通話コストの削減と、消費電力の低減との双方が行えることになる。
【００３１】
なお、制御部１５２は、画像処理機能停止検出部１５１から画像処理機能停止検出信号が入力された場合、直ちに画像処理機能の停止を実行するのではなく、有効・無効の判断を行い、有効の場合に画像処理機能の停止を実行するようにしてもよい。
【００３２】
（実施の形態２）
図２は、本発明の実施の形態２に係る画像通信携帯端末機の構成を示すブロック図である。なお、図１で示した構成と同一ないしは同等である構成部分には、同一の符号が付されている。ここでは、この実施の形態２に関わる部分を中心に説明する。
【００３３】
図２に示すように、実施の形態２に係る画像通信携帯端末機は、図１で示した構成において、音声出力先検出部２０１が設けられ、それに伴い制御部１５２に代えて、制御部２０２が設けられている。
【００３４】
音声出力先検出部２０１は、実施の形態１（図１）で示した画像処理機能停止検出部１５１の第１の具体例に相当し、音声出力先が内部入出力装置１４２であることを検出すると、検出信号を制御部２０２に出力する。
【００３５】
制御部２０２は、動画像データ圧縮・伸張処理部１０２及び音声データ圧縮・伸張処理部１０５と通信部１０７とを制御し、画像と音声による会話を実現する他、テレビ電話中に音声出力先検出部２０１から検出信号が入力されると、制御部１５２と同様に、動画像撮像部１０１と、動画像表示部１０３と、動画像データ圧縮・伸張処理部１０２とを停止させる制御を行うようになっている。
【００３６】
この構成によれば、テレビ電話中に音声出力先検出部２０１にてユーザが内部入出力装置１４２を用いた通話を行っていることが検出されると、制御部２０２は、画像処理機能である画像の撮影、表示、符号化、復号化の機能をそれぞれ停止させる。その結果、無線回線の伝送情報は、音声情報のみとなる。
【００３７】
したがって、実施の形態２によれば、伝送情報量の低減による通話コストの削減と、消費電力の低減との双方が行えることになる。
【００３８】
なお、制御部２０２は、音声出力先検出部２０１から検出信号が入力された場合、直ちに画像処理機能の停止を実行するのではなく、有効・無効の判断を行い、有効の場合に画像処理機能の停止を実行するようにしてもよい。
【００３９】
（実施の形態３）
図３は、本発明の実施の形態３に係る画像通信携帯端末機の構成を示すブロック図である。なお、図１で示した構成と同一ないしは同等である構成部分には、同一の符号が付されている。ここでは、この実施の形態３に関わる部分を中心に説明する。
【００４０】
図３に示すように、実施の形態３に係る画像通信携帯端末機は、図１で示した構成において、光センサー３０１が設けられ、それに伴い制御部１５２に代えて、制御部３０２が設けられている。
【００４１】
光センサー３０１は、実施の形態１（図１）で示した画像処理機能停止検出部１５１の第２の具体例に相当し、ユーザが当該画像通信携帯端末機を耳に当てた時に暗検出を行い、検出信号を制御部３０２に出力する。
【００４２】
制御部３０２は、動画像データ圧縮・伸張処理部１０２及び音声データ圧縮・伸張処理部１０５と通信部１０７とを制御し、画像と音声による会話を実現する他、テレビ電話中に光センサー３０１から検出信号が入力されると、制御部１５２と同様に、動画像撮像部１０１と、動画像表示部１０３と、動画像データ圧縮・伸張処理部１０２とを停止させる制御を行うようになっている。
【００４３】
この構成によれば、テレビ電話中に光センサー３０１にてユーザが当該画像通信携帯端末機を耳に当てたことが検出されると、制御部３０２は、ユーザが内部入出力装置１４２を用いた通話を行うと判断し、画像処理機能である画像の撮影、表示、符号化、復号化の機能をそれぞれ停止させる。その結果、無線回線の伝送情報は、音声情報のみとなる。
【００４４】
したがって、実施の形態３によれば、伝送情報量の低減による通話コストの削減と、消費電力の低減との双方が行えることになる。
【００４５】
なお、制御部３０２は、光センサー３０１から検出信号が入力された場合、直ちに画像処理機能の停止を実行するのではなく、有効・無効の判断を行い、有効の場合に画像処理機能の停止を実行するようにしてもよい。
【００４６】
（実施の形態４）
図４は、本発明の実施の形態４に係る画像通信携帯端末機の構成を示すブロック図である。なお、図１で示した構成と同一ないしは同等である構成部分には、同一の符号が付されている。ここでは、この実施の形態４に関わる部分を中心に説明する。
【００４７】
図４に示すように、実施の形態４に係る画像通信携帯端末機は、図１で示した構成において、温度センサー４０１が設けられ、それに伴い制御部１５２に代えて、制御部４０２が設けられている。
【００４８】
温度センサー４０１は、実施の形態１（図１）で示した画像処理機能停止検出部１５１の第３の具体例に相当し、ユーザが当該画像通信携帯端末機を耳に当てた時にユーザの体温検出を行い、検出信号を制御部４０２に出力する。
【００４９】
制御部４０２は、動画像データ圧縮・伸張処理部１０２及び音声データ圧縮・伸張処理部１０５と通信部１０７とを制御し、画像と音声による会話を実現する他、テレビ電話中に温度センサー４０１から検出信号が入力されると、制御部１５２と同様に、動画像撮像部１０１と、動画像表示部１０３と、動画像データ圧縮・伸張処理部１０２とを停止させる制御を行うようになっている。
【００５０】
この構成によれば、テレビ電話中に温度センサー４０１にてユーザが当該画像通信携帯端末機を耳に当てたことが検出されると、制御部４０２は、ユーザが内部入出力装置１４２を用いた通話を行うと判断し、画像処理機能である画像の撮影、表示、符号化、復号化の機能をそれぞれ停止させる。その結果、無線回線の伝送情報は、音声情報のみとなる。
【００５１】
したがって、実施の形態４によれば、伝送情報量の低減による通話コストの削減と、消費電力の低減との双方が行えることになる。
【００５２】
なお、制御部４０２は、温度センサー４０１から検出信号が入力された場合、直ちに画像処理機能の停止を実行するのではなく、有効・無効の判断を行い、有効の場合に画像処理機能の停止を実行するようにしてもよい。
【００５３】
（実施の形態５）
図５は、本発明の実施の形態５に係る画像通信携帯端末機の構成を示すブロック図である。なお、図１で示した構成と同一ないしは同等である構成部分には、同一の符号が付されている。ここでは、この実施の形態５に関わる部分を中心に説明する。
【００５４】
図５に示すように、実施の形態５に係る画像通信携帯端末機は、図１で示した構成において、キー入力装置５０１が設けられ、それに伴い制御部１５２に代えて、制御部５０２が設けられている。
【００５５】
キー入力装置５０１は、実施の形態１（図１）で示した画像処理機能停止検出部１５１の第４の具体例に相当し、ユーザが内部入出力装置１４２による音声通話を行うために操作される。キー操作によって画像処理機能を停止が制御部５０２に通知される。
【００５６】
制御部５０２は、動画像データ圧縮・伸張処理部１０２及び音声データ圧縮・伸張処理部１０５と通信部１０７とを制御し、画像と音声による会話を実現する他、テレビ電話中にキー入力装置５０１から画像処理機能の停止通知が入力されると、制御部１５２と同様に、動画像撮像部１０１と、動画像表示部１０３と、動画像データ圧縮・伸張処理部１０２とを停止させる制御を行うようになっている。
【００５７】
この構成によれば、テレビ電話中にユーザがキー入力装置５０１から画像処理機能の停止を入力すると、制御部５０２は、ユーザの指示に従って、画像処理機能である画像の撮影、表示、符号化、復号化の機能をそれぞれ停止させる。その結果、無線回線の伝送情報は、音声情報のみとなる。
【００５８】
したがって、実施の形態５によれば、伝送情報量の低減による通話コストの削減と、消費電力の低減との双方が行えることになる。
【００５９】
なお、制御部５０２は、キー入力装置５０１から停止信号が入力された場合、直ちに画像処理機能の停止を実行するのではなく、有効・無効の判断を行い、有効の場合に画像処理機能の停止を実行するようにしてもよい。
【００６０】
（実施の形態６）
図６は、本発明の実施の形態６に係る画像通信携帯端末機の構成を示すブロック図である。なお、図１で示した構成と同一ないしは同等である構成部分には、同一の符号が付されている。ここでは、この実施の形態６に関わる部分を中心に説明する。
【００６１】
図６に示すように、実施の形態６に係る画像通信携帯端末機は、図１で示した構成において、画像認識部６０１が設けられ、それに伴い制御部１５２に代えて、制御部６０２が設けられている。
【００６２】
画像認識部６０１は、実施の形態１（図１）で示した画像処理機能停止検出部１５１の第５の具体例に相当し、動画像撮像部１０１にて撮像されたユーザの画像から、ユーザが画面を見て通話しているのか否かを判断し、その判断結果を制御部６０２に出力する。
【００６３】
制御部６０２は、動画像データ圧縮・伸張処理部１０２及び音声データ圧縮・伸張処理部１０５と通信部１０７とを制御し、画像と音声による会話を実現する他、テレビ電話中に画像認識部６０１からユーザが画面を見ていないとの判断結果が入力されると、制御部１５２と同様に、動画像撮像部１０１と、動画像表示部１０３と、動画像データ圧縮・伸張処理部１０２とを停止させる制御を行うようになっている。
【００６４】
この構成によれば、テレビ電話中に画像認識部６０１にてユーザが画面を見ないで通話しているのが検出されると、制御部６０２は、画像処理機能である画像の撮影、表示、符号化、復号化の機能をそれぞれ停止させる。その結果、無線回線の伝送情報は、音声情報のみとなる。
【００６５】
したがって、実施の形態６によれば、伝送情報量の低減による通話コストの削減と、消費電力の低減との双方が行えることになる。
【００６６】
なお、制御部６０２は、画像認識部６０１から検出信号が入力された場合、直ちに画像処理機能の停止を実行するのではなく、有効・無効の判断を行い、有効の場合に画像処理機能の停止を実行するようにしてもよい。
【００６７】
（実施の形態７）
図７は、本発明の実施の形態７に係る画像通信携帯端末機の構成を示すブロック図である。なお、図１で示した構成と同一ないしは同等である構成部分には、同一の符号が付されている。ここでは、この実施の形態７に関わる部分を中心に説明する。
【００６８】
図７に示すように、実施の形態７に係る画像通信携帯端末機は、図１で示した構成において、電池電圧検出部７０１が設けられ、それに伴い制御部１５２に代えて、制御部７０２が設けられている。
【００６９】
電池電圧検出部７０１は、実施の形態１（図１）で示した画像処理機能停止検出部１５１の第６の具体例に相当し、当該画像通信携帯端末機の電池電圧を検出し、その検出結果を制御部７０２に出力する。
【００７０】
制御部７０２は、動画像データ圧縮・伸張処理部１０２及び音声データ圧縮・伸張処理部１０５と通信部１０７とを制御し、画像と音声による会話を実現する他、テレビ電話中に電池電圧検出部７０１から入力される電池電圧から電池残量が設定値以下となった場合に、制御部１５２と同様に、動画像撮像部１０１と、動画像表示部１０３と、動画像データ圧縮・伸張処理部１０２とを停止させる制御を行うようになっている。
【００７１】
この構成によれば、テレビ電話中に電池電圧検出部７０１にて電池残量が設定値を下回ったことが検出されると、制御部７０２は、画像処理機能である画像の撮影、表示、符号化、復号化の機能をそれぞれ停止させる。その結果、無線回線の伝送情報は、音声情報のみとなる。
【００７２】
したがって、実施の形態７によれば、伝送情報量の低減による通話コストの削減と、消費電力の低減との双方が行えることになる。
【００７３】
なお、制御部７０２は、電池電圧検出部７０１から検出信号が入力された場合、直ちに画像処理機能の停止を実行するのではなく、有効・無効の判断を行い、有効の場合に画像処理機能の停止を実行するようにしてもよい。
【００７４】
【発明の効果】
以上説明したように、本発明によれば、画像データの送受信処理を行う必要がなくなるので、端末の消費電力と通信コストの双方が低減できるという優れた効果を奏し得る。
【図面の簡単な説明】
【図１】本発明の実施の形態１に係る画像通信携帯端末機の構成を示すブロック図
【図２】本発明の実施の形態２に係る画像通信携帯端末機の構成を示すブロック図
【図３】本発明の実施の形態３に係る画像通信携帯端末機の構成を示すブロック図
【図４】本発明の実施の形態４に係る画像通信携帯端末機の構成を示すブロック図
【図５】本発明の実施の形態５に係る画像通信携帯端末機の構成を示すブロック図
【図６】本発明の実施の形態６に係る画像通信携帯端末機の構成を示すブロック図
【図７】本発明の実施の形態７に係る画像通信携帯端末機の構成を示すブロック図
【図８】従来の画像及び音声の送受信が可能な画像通信携帯端末機の構成例を示すブロック図
【符号の説明】
１０１　動画像撮像部
１０２　動画像データ圧縮・伸張処理部
１０３　動画像表示部
１０４　音声入出力部
１０５　音声データ圧縮・伸張処理部
１０６　アンテナ
１０７　通信部
１４１　外部入出力装置
１４２　内部入出力装置
１５１　画像処理機能停止検出部
１５２，２０２，３０２，４０２，５０２，６０２，７０２　制御部
２０１　音声出力先検出部
３０１　光センサー
４０１　温度センサー
５０１　キー入力装置
６０１　画像認識部
７０１　電池電圧検出部
【図１】
2004032305.tif 000003
【図２】
2004032305.tif 000004
【図３】
2004032305.tif 000005
【図４】
2004032305.tif 000006
【図５】
2004032305.tif 000007
【図６】
2004032305.tif 000008
【図７】
2004032305.tif 000009
【図８】
2004032305.tif 000010